(57)【要約】【目的】  球体の外表面に文字、絵柄等の図柄を表示してなる遊技装置用の回転表示体を提供すること。【構成】  複数個の分割された殻体３，４を組合せて構成される回転体１と、熱収縮性フィルムを材料としたテープを筒状にしてその外表面に文字、絵柄等の図柄８を表示する表示体２とを別体に形成し、前記殻体３，４相互を抱き合わせに組合せて球形の前記回転体１を構成したところで、該回転体１を前記表示体２の内部に嵌め入れ包囲させ、次に該表示体２を加熱収縮させて前記回転体１の周面に密着させ、これによって前記殻体３，４相互を結束すると同時に、該回転体の外周面に前記図柄を表示して回転表示体Ａとする。【選択図】        図４
2006014812.tif 000002
【特許請求の範囲】
【請求項１】
回転体と、この回転体の外周面を包囲し図柄を表示する表示体とからなり、前記回転体は抱き合せに組合せることで球体を形成することができる複数個の分割された殻体から構成し、他方前記表示体は熱収縮性フィルムのテープを基材にしてその一面に前記図柄を表示すると共に、図柄表示面を外にして端部同志を接合し筒形に形成してなり、該筒形表示体の内部に前記複数個の殻体を抱き合せに組み球体形とした前記回転体を収め包囲し、この状態で該表示体を加熱収縮して前記各殻体の外表面に密着させることにより前記回転体を球体に結束し固定すると共に、該回転体の外表面に前記図柄を表示することを特徴とした遊技装置用の回転表示体。
【請求項２】
回転体は抱き合せることにより中空の球体を形成する２つの半球状の殻体から構成することを特徴とした請求項１に記載の遊技装置用の回転表示体。
【請求項３】
半球状の各殻体には内部の中心位置に球体に組合ったとき球体の中心部に向けて突き出す筒状の軸受部を延設し、該軸受部先端同志の結合によって殻体相互を抱き合せ状に仮結合させる一方、前記軸受部の中空端部を殻体の外に開口させ、回転支軸の挿通を可能にしたことを特徴とする請求項２に記載の遊技装置用の回転表示体。
【請求項４】
回転体は２つの半球状の殻体と、殻体の開口部間に渡される筒状の軸受部材とから構成し、前記２つの殻体を抱き合せに組立てる際、両殻体の開口部間に前記軸受部材を挟み込んで球体に組立て、該球体に組んだ回転体を筒状の表示体の内部に収めると共に、該表示体を加熱収縮して結束し固定して前記軸受部材を前記回転体に貫通した状態に備えてなることを特徴とした請求項１に記載の遊技装置用の回転表示体。
【請求項５】
熱収縮性フィルムからなるテープを筒形にする表示体は、前記テープの幅を回転体の直径に等しい長さ、若しくは僅かに小さい長さにして加熱収縮したとき回転体の略全周を包囲できるようにしてなることを特徴とした請求項１，２，３，４のいずれかの請求項に記載の遊技装置用の回転表示体。
【請求項６】
熱収縮性フィルムからなるテープを筒形にする表示体は内径を内部に収める回転体の外径に略等しく、若しくは僅かに大きく形成することを特徴とした請求項１，２，３，４，５のいずれかの請求項に記載の遊技装置用の回転表示体。
【発明の詳細な説明】
【技術分野】
【０００１】
本発明は、パチンコ遊技機、スロットマシン、パチスロ等の遊技機における遊技装置の中で使用される表面に図柄を表示してなる遊技装置用の回転表示体に関する。
【背景技術】
【０００２】
パチンコ遊技機やスロットマシン等の遊技機には遊技を楽しく演出するための各種の遊技装置が組込まれるが、遊技の中で予め設定した当り条件を遊技者において確認する手段として回転表示体がある。
回転表示体は一般的には複数個準備し、各回転表示体の表面に表示した文字や数字、記号或いは絵柄等の図柄（以下、単に「図柄」という。）を組合せることでゲームの成立、つまり遊技上の「当り」を表現し、予め設定した当りの種類、即ち図柄の組合せに基づきそれぞれ価値を違えた景品を遊技者に払い出す等、装置の中で種々利用されている。
【０００３】
従来、最も一般的な回転表示体は回転ドラムの周面に図柄を表示したものである。回転ドラムは通常３個並設し、この回転ドラムの周面に表示した図柄の組合せによって各種の「当り」を表現し、ゲームを楽しむものとなっているが、この回転ドラム式の表示体は、円筒状の回転体からなるもの等、構造を異にしたものがあるが、いずれも図柄が上下に移動し、変化するに過ぎないため単調になる問題がある。
【０００４】
この変化の単調さは動きの単純さにも原因があるが、形状の共通性にも原因があり、変化を求める遊技者から飽きられる問題があった。
これを解決する一つの方法として、ドラムに代えて球体としたものが提案されている。
回転する球体は、即ち球体形の回転表示体は回転ドラムを見慣れた遊技者に新鮮さを与えるものであり、遊技者の興趣を誘うものとなるが、この球体形回転表示体の問題は回転ドラム式の表示体に比較して製造に困難を伴うことである。
即ち、球体形の回転表示体は、球体を形成すること自体がドラム形に比較して容易でなく、加えて表示体とするためにはこの球体の表面に文字や数字、絵柄等からなる図柄を表わす必要があり、曲面に対する印刷など技術的な困難を伴うものとなっている。
【０００５】
従来、遊技装置用の球体形をなす回転表示体の例を挙げれば、例えば特許文献１乃至３に記載されるもの等がある。
【特許文献１】特開平８−１９１９３４号公報の明細書中段落００３２から００３９、及び図面の図１から図９。
【特許文献２】特開平８−１９１９３５号公報の明細書の段落００１９から００２６の説明、及び図面の図１から図９。
【特許文献３】特開平８−１９１９３６号公報の明細書の段落００２５から００３２の説明、及び図面の図１から図９。
【０００６】
上記特許文献１乃至３は、回転体に関する記載内容を共通にしており、相互に差がないものとなっているので、ここでは特許文献１の記載に基づきみると、回転体５６は一対の半球形の殻体６２，６４から構成され、これら殻体には半球面中央部に殻体の球面の中心から放射線方向（球心方向）に向けて筒状の軸筒部６６を立設することが記載されている。そして、一方の殻体６２の円形開口端部には嵌合凹部７２を、軸筒部６６の自由端部には嵌合軸凸部７４を形成し、また他方の殻体６４の円形開口端部には嵌合凸部７６を、そして軸筒部６６には嵌合軸凹部７８を設けて、球体を作るべくこの２つの殻体６２，６４を合体させるに際しては、前記嵌合凹部７２と嵌合凸部７４とを嵌め合せ、また前記嵌合軸凸部７４と嵌合軸凹部７８とを嵌め合せて組合せ、球体とすることが説明されている。
【０００７】
この球体に表現する図柄についてはそれぞれ殻体を単独の状態にして、これに分割された図柄を表示し、次に位置合せの凸部８０と凹部８２を嵌め合せてこの図柄を組合せ完成させることが記載されている。
しかし、ここには凸部と凹部の嵌め合せで２つの殻体から１つの球体を作ることが説明されているが、この２つの殻体を分離不能に一体的に結合させることについては詳細な説明がなく、また各殻体の半球面形をなす外表面にどの様にして図柄を表示するかについてもこれが提案の要部となっていないこともあって明らかになっていない。
【０００８】
ところで、球面の如く立体的な面に対する印刷方法については、例えば特許文献４が公開されている。
【特許文献４】特開平１０−１８１２９５号公報。明細書の段落０００２、００１７から００１９。図面の図８から図１０。  しかし、ここに開示される立体面に対する転写の技術は、人形の顔等の凹凸面に対するものであり、球体の全面に亘って印刷することについては対応しておらず、従って球体に対する表示の問題を解決するものとはなっていない。
【０００９】
球体の表面、とりわけ球体外表面の全面に亘って、しかも回転表示体の如く複数の図柄の連続からなる表示を均一に表わすことは極めて困難な作業であり、前述したように仮に複数個に分割される殻体の個々に個別に表わし、これを球体に組立てることを通して連続した図柄にする方法を採用するにしても、殻体の接合部において図柄の不整合が起るなど美麗な仕上りを得ることが困難な問題がある。
【発明の開示】
【発明が解決しようとする課題】
【００１０】
従って、上述したところから明らかな様に、本発明は遊技装置において使用される回転表示体の製造、とりわけ球体の外表面に図柄を表示する回転表示体の製造の困難性に鑑み、これを改善すべく開発されたものであり、その目的とするところは、回転表示体の本体となる球状の回転体の成形と、この回転体の外表面に表わす図柄の表示に関わる問題を同時に解決し、製造性を高めると共に、回転体の表面形状と表示の図柄を歪みなく美麗に仕上げられるようにした改良された遊技装置用の回転表示体を提供することにある。
【課題を解決するための手段】
【００１１】
本発明は、上記目的を達成するため、遊技装置用の回転表示体を回転体と、この回転体の外表面を包囲し図柄を表示する表示体から構成し、前記回転体は抱き合せに組合せることで球体を形成することができる複数個の分割された殻体から構成し、他方前記表示体は熱収縮性フィルムのテープを基材にしてその一面に前記図柄を表示すると共に図柄表示面を外にして端部同志を接合し筒形に形成し、該筒形にした表示体の内部に前記複数個の殻体を抱き合せに組み合わせて球体形にした前記回転体を嵌め入れ包囲し、次に該表示体を加熱収縮して前記各殻体の外表面に密着させ前記回転体を球体形に結束固定し、併せて該回転体の外表面に前記図柄を表示するようにした遊技装置用の回転表示体を提供することにある。
【００１２】
また本発明は、前記回転体について抱き合せることにより中空の球体を形成する２つの半球状の殻体から構成するようにした遊技装置用の回転表示体を提供することにある。
【００１３】
また本発明は、前記半球状の各殻体には内部の中心位置に球体に組合わせたとき球体の中心部に向けて突き出す筒状の軸受部を延設し、該軸受部先端同志の結合によって殻体相互を抱き合せに仮結合させると共に、前記軸受部の中空端部を殻体の外に開口させて回転支軸の挿通を可能にした遊技装置用の回転表示体を提供することにある。
【００１４】
また本発明は、前記回転体につき２つの半球状の殻体と、殻体の開口部間に渡される筒状の軸受部材から構成して、前記２つの殻体を抱き合せに組立てる際に、両殻体の開口部間に前記軸受部材を挟み込み、この状態で前記球体にした回転体を筒状の表示体の内部に収め、該表示体を加熱し収縮して球体形に結束固定し、前記軸受部材を回転体に対して貫通して備えるようにした遊技装置用の回転表示体を提供することにある。
【００１５】
また本発明は、前記熱収縮性フィルムからなるテープを筒形にしてなる表示体について、前記テープの幅を回転体の直径に等しい長さ、若しくは僅かに小さい長さにして加熱収縮したとき回転体の略全周を包囲できるようにした遊技装置用の回転表示体を提供することにある。
【００１６】
そしてまた本発明は、前記熱収縮性フィルムからなるテープを筒形にしてなる表示体について、筒形の内周を内部に収める回転体の外周に略等しいか、若しくは僅かに大きく形成してこの筒形の表示体の内部に回転体を収めたとき両者の内周面と外周面とが接触して相互の位置関係が安定するようにした遊技装置用の回転表示体を提供することにある。
【００１７】
ところで、前記組合せることによって球体となり、回転体を形成することになる複数個の殻体は任意の数を選択することができるが、殻体自体の成形と、球体に組立る際の作業性の面から２つの半球形をなす殻体とするのが有利である。しかし、球体を３分割するもの、４分割するものなどその分割数を増したものであっても本発明の実施を妨げるものではない。
【００１８】
また殻体は、成形上の理由と、回転体として使用する上から中空の球体を形成するようにそれぞれを肉薄に形成し、軽量化することが望ましく、使用時の回転及び停止動作を機敏にする上でも有利になる。
尚、この殻体の組合せによって形成される回転体は、その周面に巻き付く表示体の熱収縮による締め付けを受けることから、この熱収縮時の締め付けに耐えられる強度が求められることは言うまでもない。従って、上記殻体は素材によっても多少の差はあるが、肉厚はこの締め付けに耐えられる厚みを限度として選択されることになる。
【００１９】
一方、前記表示体の基材となる熱収縮性フィルムは、シュリンクフィルムとして広く知られる合成樹脂の延伸フィルムが使用される。そして、このフィルムは包囲する回転体に合せて予めテープ状に切断したものが使用される。
熱収縮性フィルムについてはどの様なものでもよいが、好ましくはポリ塩化ビニル、ポリオフィン系樹脂、ポリエステル系樹脂、ポリスチレン系樹脂等を材料にした熱収縮性フィルムが適している。
【００２０】
尚、表示体は筒形の状態において回転体に覆せ、加熱することにより収縮させるものであり、このとき合成樹脂を材料にして成形される回転体の殻体も熱の影響を受けることになるので、熱収縮性フィルムの選択に当っては出来るだけ低温で収縮する材料、例えばポリ塩化ビニルを材料とした熱収縮性フィルム等が都合がよく、取扱いの上からも有利である。
【００２１】
一方、前記表示体の表面に施す図柄は、テープ状に展開した状態で印刷する等して表示される。
球形をなす回転体の周面に対する図柄表示において、テープ状の表示体を展開し、平面の状態で図柄を印刷表示できることは、本発明の特徴の一つであって、球体表面の曲面上に印刷することに比較して容易性において、また明瞭性において優れたものとなる。
【００２２】
以上説明するところによって明らかな様に、本発明に係る遊技装置用の回転表示体は、回転体と、この回転体の外表面に密着する表示体とからなるもので、回転体は球体を構成する複数の殻体から作られることになる。
そして、前述したように回転体を２つの半球状の殻体から構成する場合、この殻体の開口部を衝き合せにして球体状に抱き合せて形成するに当って両殻体に軸受部を備える場合には、その一方の軸受部の先端を大径に、他方の軸受部の先端を小径にして、両先端部を嵌め合せに結合させて上記殻体の抱き合せ状態を保持するようにするとよい。
【００２３】
また、上記回転体に対して表示体は、前述した如く熱収縮性フィルムをテープ状にしてこれを更に筒状にするが、このときテープの幅を前記回転体の直径に略等しくし、更に筒状における内周が同じく回転体の直径に略等しくなるよう形成し、筒状の表示体の内部に回転体を嵌め入れ収めたとき、この回転体の略全体が包囲されるようにするとよい。
【００２４】
筒状の表示体に嵌め込まれる回転体は、この表示体の内部に収まることによって各殻体の抱き合せ状態が維持されることになり、球形を自動的に保持されることになる。この状態において表示体を加熱し、素材の熱収縮性を利用して収縮させると、回転体の最も大きな直径部分に接触する中央部分、つまり筒形の中央の内周部分を中心にして筒の両端部に向かう非接触部分が先ず収縮を開始し、全体に及んで回転体の外表面全面に密着するよう収縮し、貼り付くことになる。
【００２５】
この表示体の熱収縮による回転体表面への貼り付きによって分割された殻体相互は結束され、１つの球体に固定されることになる。それと同時に、この球体、つまり回転体の外表面は表示体の貼り付きによって予め表示体の表面に表わした図柄が表れることになり、回転体の全周に図柄が表示されることになる。
勿論、回転体の外表面に表わされる図柄は、任意に選択できるものであるが、予め表示体の表面の全周に表した場合はそのまゝ球状をなす回転体の全周に亘って表すことができることになる。
【発明の効果】
【００２６】
以上の説明において明らかな様に、本発明によれば、回転表示体の基体となる球形の回転体を複数の分割された殻体から構成するようにしたこと、つまり殻体そのものを造ることによって球体を製造することができることから製造が容易となり、またこの殻体相互の抱き合せによって球状の回転体とするとき、筒状にした表示体の熱収縮性を利用して一体に結束し固定できる構造としたことから、殻体を接着剤を利用して接合する場合、或いはねじ止め等にって結合する場合等に比較して遥かに簡便に、しかも正確に結合させて球状の回転体に形成できるという利点がある。
【００２７】
そして、この表示体の締め付けによって殻体を抱き合せ、球状に形成される回転体は、表示体の全体的な熱収縮を受けて均一に締め付けられるため、殻体を抱き合わせて仮結合の状態において開口部相互の衝き合せにずれを生ずることがあっても自動的に修正が加わり均一な曲面に仕上げられるので平滑な球体に仕上げられる利点がある。
【００２８】
更に本発明は、筒状をなす表示体の表面にはテープ状に展開した状態において予め図柄の表示が印刷等によって施すことができ、しかも当該表示体を回転体の外表面に巻き付け、密着させて回転体の外表面全面に上記図柄を配置することができることから、この回転体若しくは回転体を構成する殻体の外表面の曲面に対して直接印刷等により図柄表示する従来の場合に比較して遥かに容易であり、しかも的確に図柄を表示することができる利点がある。
以下、本発明を実施の形態を通して更に具体的に説明することにする。
【発明を実施するための最良の形態】
【００２９】
図１乃至図７は、本発明の実施の形態を示したものである。図面において、１は本発明に係る回転表示体Ａを構成する回転体であり、２はこの回転体１の外表面を包囲し、この包囲を通して回転体の表面に図柄を表示する表示体である。
【００３０】
回転体１は、一部欠截した真円球に近い球体に形成してあり、ここでは２つの略半球形をなす殻体３，４から構成するものとしている。
上記一方の殻体３は、半球形をなす殻体の底部に当る中央部分を欠截して平滑な円形の底３ａを形成し、この底３ａの中央部分から内部の中央空間に向けて円筒形の軸受部５を立ち上げており、また他方の殻体４は、上記一方の殻体３と同様に半球形をなす殻体の底部を欠截して平滑な底４ａを形成し、この底４ａの中央部分から内部の中央空間に向けて同じく円筒形をなす軸受部６を立ち上げている。
【００３１】
この２つの殻体３，４は前記底３ａ，４ａの形状を大小異にしている以外同一の形状に形成してあり、それぞれに設けた前記軸受部５，６は一方の軸受部５を他方の軸受部６の中空部内に突き入れられる直径に形成し、互いの先端部を嵌め付けられるようにしてある。
【００３２】
この両軸受部５，６は２つの殻体３，４を連結し、球体をなすよう仮止めするために使用される外、回転体１が回転表示体として完成されたとき、この回転体を遊技装置に軸承する回転支軸７を挿通するためのものであり、そのためそれぞれ殻体の底３ａ，４ａに接する端部において中空部を外に向けて開放し、軸挿入口８，９を形成している。
【００３３】
そして、上記両軸受部５，６の各先端部は図２に示したように、殻体の開口部３ｂ，４ｂより僅かに突き出すようにして、殻体３，４をこの開口部を衝き合せて抱き合せにしたとき、互いの先端部が衝き合って小径な軸受部５の先端部が大径な軸受部６の先端部の中空部に嵌り込み結合するようにしてある。
図１はこの両軸受部５，６の先端部同志が結合し、２つの殻体３，４を球体に組合せた姿を示している。このとき、この結合によって両殻体の円形をなす開口部３ｂ，４ｂ相互は一致した状態で衝き合い、仮止め状態で球体を維持することになる。
【００３４】
一方、表示体２は図５に示した如く、一面に表示しようとする所定の図柄８‥‥を連続した状態で表示することになる。
この表示体は、前述したように熱収縮性の合成樹脂フィルムを材料としたテープ２ａを基材とするもので、ここではポリ塩化ビニルを素材とした熱収縮性フィルムからなるテープを基材にして、このテープの状態でその一面に連続した複数個の図柄８‥‥を印刷配置することになる。そして、図柄８‥‥を表示したテープ状の表示体をその端部同志を接合して筒状に形成し、一面に表示した前記図柄８‥‥をこの筒体の外周面に表れるようにする。
【００３５】
筒形をなす上記表示体２は、図３に示したように球体に組まれる回転体１の直径、ここでは軸受部５，６の長さ方向に沿った直径に筒の高さ（表示体２がテープ状をなすときその幅に相当する。）を揃えて、回転体の全体を包み込めるようにし、またこの筒形をなす表示体２の内径を上記球体をなす回転体１の外径に一致するように形成している。
【００３６】
筒形をなす表示体２を上記の如く回転体１に対応させて寸法取りすることにより、この表示体２の中に回転体１を収めたとき、その略全体が包み込まれると同時に、前記軸受部５，６の連結によって球体として仮止めされた回転体は隙間なく嵌り込み殻体３，４が分かれるのを阻止し、球体を維持した状態で収まることになる。
【００３７】
この様にして筒形の表示体２の中に回転体１を収め両者を組合せたのち、表示体２を使用樹脂の収縮温度に合せた温度で加熱し、収縮処理して回転体１の外周面全面に亘って密着させ、両者を一体化する。
収縮のための加熱は、上述の様に材料によって決定されるが、ここではポリ塩化ビニルを素材とした熱収縮性フィルムを使用することから、１００〜１５０℃の温度で収縮させることができるが、実際には比較的低温の範囲で、つまり１００℃に近い温度で、しかもやゝ時間を掛けて２０〜３０秒の加熱によって収縮させ一体化を図っている。
【００３８】
表示体２の収縮は、回転体１の全面に亘って均一に進行し、密着することが望ましく、従って全体を同時に加熱するよう配慮されることになる。しかし、加熱の方法は熱風による場合、温水による場合、等任意選択されることになる。
【００３９】
図４は、表示体２の加熱により筒状から回転体１の球面に沿って密着し、回転体１と同様に球形に収縮した完成状態を示したものである。表示体２の筒状をなした両端縁は各殻体３，４の底３ａ，４ａの縁部に周り込んで密着し、一体化が図られている。
そして、この表示体の収縮によって回転体を構成する２つの殻体３，４は強く押し付けられ、開口部３ｂ，４ｂ同志を密着させると同時に、最も伸長した状態にあるこの開口部周囲の表示体、更に言うならば表示体２の中央部分が強い収縮力を残すことから該開口部の衝き合せにおいてずれがあったとき、外方にずれる部分を押し込むことになり平滑な曲面を作ることになる。
【００４０】
図中、９は一方の殻体４の成形時に軸受部６の側部に一体的に形成したねじ受け孔である。このねじ受け孔９は、後述するように本発明に係る回転表示体Ａを遊技装置である可変表示装置１０に組付ける際に自転運動を導入するためのベベルギヤを取付けるためのものである。次に、この回転表示体Ａの使用例を通して更に説明することにする。
【００４１】
図７は、本発明に係る回転表示体Ａを可変表示装置１０に組付けた使用状態を説明する中央縦断右側面図である。図中の符号１１は、回転表示体Ａの中心部に位置する２つの軸受部５，６の中空部を貫いて回転自由に挿通された回転支軸であり、１２はこの回転支軸１１を支持する腕形をなす軸支持体で、１３は軸支持体１２の底部中央に設ける筒形の軸受１４を回転自由に支持する本体フレームであり、１５はこの本体フレーム１３を背面板として使用する前方に向けて開放する箱形の本体ケースである。
【００４２】
上記回転表示体Ａは、前記回転支軸１１を中心にして回転する自転と、前記軸受１４を中心にして軸支持体１２と共に回転する公転の２系統の回転運動をするように設定してあり、それぞれの運動は独立した２つのモータ１６，１７によって行われるようにしてある。
【００４３】
上記モータ１６は、公転運動のためのもので、出力軸に設ける出力ギヤ１８とアイドルギヤ１９を噛合させ、このアイドルギヤ１９と割出ギヤ２０とを噛合させてある。そして、この割出ギヤ２０は前記軸受１４に連結して一体に回転するようにしてあり、これにより前記軸支持体１２が回転するようにしてある。
【００４４】
上記出力ギヤ１８と割出ギヤ２０の間に介挿されるアイドルギヤ１９は、本体フレーム１３に軸２１を介して回動自由に軸支させてあり、割出ギヤ２０と一体となる軸受１４は本体フレーム１３に設ける軸受部２２によって回転自由に支持してある。
従って、モータ１６が作動し、出力ギヤ１８が回転すると、アイドルギヤ１９を介して
割出ギヤ２０が回転し、軸受１４を中心にして軸支持体１２が回転し、回転支軸１１、そして回転表示体Ａが同時に回転することになる。
【００４５】
一方、モータ１７は、回転表示体Ａを自転させるためのもので、出力軸に設けた出力ギヤ２３にアイドルギヤ２４が噛合し、このアイドルギヤ２４に割出ギヤ２５が噛合するようにしてある。
割出ギヤ２５は、前記軸受１４の中空部を貫通する回転軸２６に軸着され、この回転軸２６を中心にして回転すると共に、この回転軸２６を介して前記軸支持体１２の内側に設けられるドライブベベルギヤ２７に連結している。
【００４６】
上記ドライブベベルギヤ２７は、前記軸支持体１２に軸２８を軸承させて回転自由に取付くアイドルベベルギヤ２９に噛合し、更にこのアイドルベベルギヤ２９は回転表示体Ａの端部に固着するベベルギヤ３０に噛合するようにしてある。
上記ベベルギヤ３０は回転表示体Ａの一方の殻体４の底４ａに接面させビス３１を前記ねじ受け孔９にねじ付けることでこの回転表示体Ａに固定される。
【００４７】
従って、モータ１７が駆動し、出力ギヤ２３が回転すると、アイドルギヤ２４を介して割出ギヤ２５が回転軸２６を中心に回転し、これに伴ってドライブベベルギヤ２７が軸支持体１２の内側で回転することになる。そして、このドライブベベルギヤ２７に噛合するアイドルベベルギヤ２９を介してベベルギヤ３０が回転し、このベベルギヤ３０を固定する回転表示体Ａが回転することになる。
【００４８】
尚、この回転表示体Ａを支持する回転支軸１１は、軸受部５，６を貫いて軸の両端を回転表示体の外に突き出し、それぞれ前記軸支持体１２の前端部近傍に固着して渡してあり、回転表示体Ａがこの回転支軸１１を中心にして回転するようにしてある。
【００４９】
以上の構造からモータ１６が駆動すると、軸支持体１２が軸受１４を中心に回転することに伴って軸受１４の軸心の延長線３２上にある回転表示体Ａがこの延長線３２を中心にして回転することになり、更にモータ１７が駆動することに伴って回転支軸１１を中心とした別の回転が加わることになる。
【００５０】
表示体２は、図６に示したように筒状にあるときその表面に表わす図柄８‥‥を周方向に連続して配置するため、モータ１７が作動すると、回転支軸１１を中心に回転して前面に向けて次々とこの図柄８を出現させることになり、また公転用のモータ１６が作動すると、軸支持体１２の回転によって表示体２の向きが上下左右に変化することになる。
【００５１】
尚、図中３３は回転表示体Ａを覗くため本体ケース１５の前面を開放する窓であり、３４はこの窓３３を塞ぐ球面形に形成した透明板である。
また、３５は遊技装置１０を取付けるパチンコ遊技機の遊技盤であり、３６は遊技盤３５の前面を被うガラスである。
【００５２】
本発明に係る回転表示体Ａは、上述の如く可変表示装置１０に組込み使用されるが、単独で使用される場合に限らず、複数個を配列して回転表示体の前面側に現れる図柄の組合によって当りを確定する等の方法で使用することが可能であることは言うまでもない。
いずれの方法において使用するにしても、球体をなす回転体１の表面に表示体２が密着してその表面に描く図柄８が明瞭に表現されることから美麗な遊技装置となり遊技者に好感を与えるものとなる。
次に、本発明の回転表示体Ａの異なる形状において実施される場合について説明することにする。
【実施例１】
【００５３】
図８〜図１０は、前述した回転体１の２つの殻体３，４に設ける軸受部５，６の各先端部を変更して、両軸受部５，６の連結をより確実にした実施例を示している。尚、本実施例において前記実施の形態において説明した同一の部所については同一の符号を付してその説明を省略する。以下、その他の実施例においても同様とする。
この実施例における両軸受部５，６の関係は、前記実施の形態において説明したのと同じく、それぞれ先端部を僅かに殻体３，４の各開口部３ｂ，４ｂから突き出させ、更に一方の軸受部５の外径を他方の軸受部６の内径に略等しくして嵌め込めるようにしてある。
【００５４】
この様にした軸受部５，６にあって小径な軸受部５は先端部の外周面に環状の凹部３７を形成し、他方の大径な軸受部６は先端部を縦に切込むスリット３８によって複数に分割し、この分割した先端部の内周に係止凸部３９を形成している。
この凹部３７と係止凸部３９は、図８に示した如く軸受部５，６を衝き合せ状に連結する際、スリット３８を利用して拡張させ、内向きに突き出す係止凸部３９を凹部３７に掛け止めるようにしてあり、この掛け止めによって両軸受体５，６の連結を一層確実にしてしっかりした球体の仮止めが得られるようにしてある。
【実施例２】
【００５５】
次に、図１１〜図１４は本発明の第２の実施例を示したものである、この実施例は２つの殻体と回転支軸１１を軸装する軸受部とを別体に形成し、殻体の組合せ時に軸受部を組入れて一体とし、回転体１を完成する場合につき示している。
即ち、図示するように、ここでは２つの殻体４０，４１は球体を縦に２つ割りにした半球形状にして、各殻体の上下の端部を切除し、前記実施の形態で説明した殻体３，４の各底３ａ，４ａに相当する上下の平面部４０ａ，４０ｂと、４１ａ，４１ｂをそれぞれ形成している。
そして、この各平面部４０ａ，４０ｂと４１ａ，４１ｂの各端縁の中央部に半円弧状の切欠き凹部４２ａ，４２ｂと、４３ａ，４３ｂを形成し、殻体とは別体に形成する軸受部材４４を組付けるようにしている。
【００５６】
軸受部材４４は円筒状をなし、各殻体の前記平面部４０ａ，４０ｂ，４１ａ，４１ｂ間の長さより僅かに長くして両端部が、この平面部を貫いて外に突き出るようにしている。
そして、この軸受部材４４の一端（図面において下端）には前記可変表示装置１０のベベルギヤ３０をねじ止めする取付鍔４５を一体に備え、またこの鍔に近接した周面に前記凹部４２ｂ，４３ｂを嵌め付ける切欠き部４６，４６を設けている。
【００５７】
上記の説明及び図面から明らかな様に２つの殻体４０，４１は対称形をなして、左右から合せることで上端と下端に平面部を有した球体が作られ、回転体１が形成されるようになっている。
そして、殻体４０，４１の抱き合せに当って両者の間には軸受部材４４を介挿し、これを挟み込むことにより回転体１の中央部を縦に貫く状態で配置され、回転支軸を挿通することができるようにしてある（図１１参照）。
【００５８】
図１３は、上記球体に組まれる回転体１に円筒形に形成する熱収縮性合成樹脂フィルムからなる表示体２を被せ、この回転体１を球状の状態に保持した姿を示す中央縦断面図である。また図１４は、上記表示体２を加熱収縮させて回転体１の外表面に密着させ、２つの殻体４０，４１を球体に結束固定すると同時に、表示体２の表面に表した図柄（図示せず）を回転体１の表面に表わす図柄として回転表示体Ａを完成した状態を示す中央縦断正面図である。
【００５９】
ここに軸受部材４４を別体として形成した２つの殻体４０，４１は、表示体１の加熱収縮によって引き寄せられ、両者間に介挿した前記軸受部材４４と共に１つに結束されて回転表示体Ａを形成することになる。
そして、この回転表示体Ａは前述した通り、接着剤等を要することなく殻体を球状に結合させると共に、殻体の全体を均一に緊締する結果、殻体相互を正確に抱き合せ、それぞれの衝き合せ部分の位置ずれ等を修正して凹凸のない球体に形成することになる。
【００６０】
また表示体２による図柄の表示は、球面にかゝわらず、テープとして、或いはフィルムの状態において、つまり平面的な状態で印刷する等して表示することができることから、球体表面に、或いは殻体の表面に直接印刷表示するのに比較して遥かに正確に、しかも容易に表現することができることになる。
【図面の簡単な説明】
【００６１】
【図１】本発明に係る回転表示体を構成する回転体の中央縦断面図。
【図２】回転体を構成する殻体を分離した状態における中央縦断面図。
【図３】回転体の周囲に筒状にした表示体を被せ包囲した状態を説明する中央縦断面図。
【図４】筒状の表示体を加熱収縮させて回転体の外周面に密着させ回転表示体を完成した状態の中央縦断面図。
【図５】テープ状態にある表示体の平面図。
【図６】筒状にした表示体の正面図。
【図７】回転表示体の使用例を説明する装置の中央縦断右側面図。
【図８】一実施例における回転表示体を構成する回転体の中央縦断面図。
【図９】回転体を構成する殻体を分離した状態の中央縦断面図。
【図１０】回転体の外周面に筒状の表示体を被せ包囲した状態を説明する中央縦断面図。
【図１１】その他の実施例における回転体の中央縦断面図。
【図１２】回転体を構成する殻体及び軸受部材を分離した状態を説明する中央縦断面図。
【図１３】回転体の外周面に筒状の表示体を被せ包囲した状態を説明する中央縦断面図。
【図１４】筒状の表示体を加熱収縮させて回転体の外周面に密着させ回転表示体を完成した状態の中央縦断面図である。
【符号の説明】
【００６２】
Ａ            回転表示体
１            回転体
２            表示体
３，４        殻体
３ｂ，４ｂ    殻体の開口部
５，６        軸受部
８            図柄
１１          回転支軸
４０，４１    殻体
４４          軸受部材
【図１】
2006014812.tif 000003
【図２】
2006014812.tif 000004
【図３】
2006014812.tif 000005
【図４】
2006014812.tif 000006
【図５】
2006014812.tif 000007
【図６】
2006014812.tif 000008
【図７】
2006014812.tif 000009
【図８】
2006014812.tif 000010
【図９】
2006014812.tif 000011
【図１０】
2006014812.tif 000012
【図１１】
2006014812.tif 000013
【図１２】
2006014812.tif 000014
【図１３】
2006014812.tif 000015
【図１４】
2006014812.tif 000016